(57)【要約】　　　（修正有）【課題】防火扉が外からでも、簡単、且つ、迅速に開けることができ、火災現場での消防、救助の貴重な時間を無駄にすることがない防火扉のラッチを提供する。【解決手段】ロック部分ユニット２０のケース２１と台座２２の間に形成された空間に、導管５０を設置し、この導管の管の口５０１はアーム２６先端の上部板２６２の底面に位置する。延長接続管６０の、注水のための台座６１は、防火扉１０に設置し、延長接続管と導管を相互に結合させる。そして、高圧消防水が注水のための台座から注入されると、延長接続管、導管の管の口６０１を経て、アーム先端の上部板底面に強く当たり、ロック部分のフラップ２４を撥ね上げて、ケース内の空間に入れ、ロックを外すようになっている。【選択図】図５
0003096902.tif 000002
【実用新案登録請求の範囲】
【請求項１】
導管と延長接続管からなり、簡単に防火扉のラッチ内部に追加して実施することができ、
導管はその一端に取り付け口があって、その取り付け口には接続口が設置されていて、その導管は、取り付け口がロック部分のユニットの台座に取り付けられていて、導管を台座とケースの間に形成される空間に納め、管の口はアーム先端の上部板底面の位置にあり、
延長接続管は、その一端に注水のための台座があり、注水のための台座には注水口が設けられていて、その延長接続管は、注水のための台座によって、防火扉の表面に取り付けられて、延長接続管は、防火扉を貫き、その管の口は防火扉内側に突出し、
ロック部分のユニットが台座によって、防火扉内の表面に固定されて、導管の一端にある取り付け口の接続口と延長接続管の管の口を相互に結合させることにより、防火扉のラッチに、緊急時に開けられる構造を追加することができるという特長を有する、緊急時に開けることができる防火扉のラッチ。
【請求項２】
導管には湾曲個所があって、導管の接続口と管の口が一直線ではない、請求項１に記載の緊急時に開けることができる防火扉のラッチ。
【請求項３】
延長接続管には湾曲個所があって、延長接続管の注水口ともう一方の端にある管の口が一直線ではない、請求項１に記載の緊急時に開けることができる防火扉のラッチ。
【請求項４】
導管は、取り付け口がロック部分のユニットの内部に取り付けられていて、任意に位置を選択でき、管の口さえアーム先端の上部板底面の位置に来ればよいという、緊急時に開けることができる防火扉のラッチ。
【考案の詳細な説明】
【０００１】
【考案の属する技術分野】
本考案は緊急時に開けることができる防火扉のラッチに関する。本考案の緊急時に開けることができる防火扉のラッチは、現有の防火扉のラッチが有する構造を変えることなく、簡単にラッチ内部に追加することによって、防火扉を水の圧力でたやすく開けることができるので、消防隊員が迅速に火災現場に入って消火作業を行なえるという特長を有する。
【０００２】
【従来の技術及び課題】
防火扉は内部に防火断熱機能を有する材料を埋め込んであり、火災が発生した時、この防火扉を閉めると、防火扉によって火災現場の高温や煙を遮断することができるので、脱出の時間をかせぐことができ、逃げ延びるチャンスも大きくなるという効果がある。しかしながら、防火扉は防火ゾーンの一部であるため、逃げる際に押して開け、閉めて遮断するのに便利なように、押して開けるラッチが使われている。
【０００３】
図１から図４を参照されたい。従来の防火扉の構造は、ロック部分のユニット２０、取っ手３０、鍵４０からなる。図２、図３を参照されたい。ロック部分のユニット２０は、ケース２１がΠ型をしていて、底面に台座２２が結合している。その間の空間には、ロック部分のフラップ２４、アーム２６、回転部分２８が納まっている。ロック部分のフラップ２４、スプリングの足２５１を有するスプリング２５は、同一の軸棒２３が貫いている。この軸棒２３がケース２１の空洞部分の前端に、宙に浮いて取り付けられていることにより、スプリング２５はスプリングの足２５１がロック部分のフラップ２４の内側下方にある固定溝２４１内にはまり込んで固定される。ロック部分のフラップ２４は外に向かって広がる力があるので、ロック部分のフラップ２４は常にケース２１の前端の縁から突出することになり、ロック部分のフラップ２４内側上方に当たり２４２を形成する。アーム２６上部の中間に近い位置には、両側にはめ込み穴２６１があって、軸棒２７が挿入され、アーム２６をケース２１の内部の後方に宙に浮いた形で固定される。アーム２６先端には、上向きの上部板２６２と下向きの下部板２６３がある。上部板２６２は、ロック部分のフラップ２４の当たり２４２の底面に当たり、下部板２６３は、台座２２に接触して固定された回転部分２８の当たり壁２８１に当たる。アーム２６後部には、押さえ車２６４が取り付けられている。回転部分２８は、台座２２の上に固定されていて、その上部の片方には、半円の当たり壁２８１がある。
【０００４】
図４を一緒に参照されたい。アーム２６後部の押さえ車２６４に、垂直に、下に向かって圧力をかけると、アーム２６は軸棒２７を支点にして、てこの原理が働き、前端の上部板２６２が、ロック部分のフラップ２４内側上方の当たり２４２に当たり、上に撥ね上げて、ロック部分のフラップ２４は軸棒２３を軸にして回転し、ケース２１の空洞部分に入りロックが外れる。また、鍵４０は軸板４１によって回転部分２８の差し込み穴２８２に差し込まれ、鍵４０を開ける操作によって軸板４１が回転部分２８を回転させると、回転部分２８片方の当たり壁２８１がアーム２６の下部板２６３の先端まで移動することにより、垂直の上に向かって押す力が働き、アーム２６も軸棒２７を支点にして、上部板２６２が、ロック部分のフラップ２４内側上方の当たり２４３を上に撥ね上げ、ロック部分のフラップ２４は軸棒２３を軸にして、ケース２１の空洞に入り、ロックを外す。
【０００５】
図１を一緒に参照されたい。ロック部分のユニット２０は台座２２によって防火扉１０の表面に取り付けられている。そして、ロック部分のユニット２０を、その前端の内部に固定する。ロック部分のユニット２０のアーム２６後部にある押さえ車２６４は、取っ手３０の押さえ板３１内側に当たる。防火扉１０内側にある取っ手３０の押さえ板３１を押すと、押さえ車２６４に垂直に下に向かって力がかかり、ロック部分のフラップ２４をケース２１の空洞内に回転させ、ロックをはずし、防火扉１０は内側から外に押して開けることができる。防火扉１０の外側から、鍵４０を使って、軸板４１によって回転部分２８を回転させると、アーム２６後部の下部板２６３の先端が垂直に上に向かって押し上げられ、ロック部分のフラップ２４を動かして、ケース２１の空洞内に移動させ、ロックをはずし、防火扉１０が外から引いて開けることができる。
【０００６】
このように、従来の防火扉１０のラッチ構造は、火災が発生した時、シャットアウトするようになっている。消防隊員は防火扉１０の外側から火災現場に進入して、消火作業を行なう場合、鍵を使ってはじめて防火扉を開けることができる。一般に、防火扉の鍵は別に保管されていて、防火扉１０に差し込んだ状態にはなっていない。火災が発生した時、消防隊員が即座に鍵を入手できるのは極めて困難である。したがって、緊急時には、切断器具を用いて防火扉１０を破壊しなければならなくなり、消火、救助のための貴重な時間を無駄にすることになる。
【０００７】
【課題を解決するための手段】
本考案の緊急時に開けることができる防火扉のラッチは、導管及び延長接続管からなる。従来の防火扉の、既存の構造を変えることなく、簡単に、ラッチの内部に追加して、火災発生時に、消防隊員が防火扉の鍵がなくても、消防の送水管の高圧注水によって、迅速に防火扉を開けて、火災現場に侵入して消火、救助が行なえるという特長を有する。
【０００８】
本考案の緊急時に開けることができる防火扉のラッチは、従来のロック部分ユニットのケースと台座の間に形成された空間に、導管を設置する。この導管の管の口はアーム先端の上部板の底面に位置する。延長接続管の、注水のための台座は、防火扉に設置し、延長接続管と導管を相互に結合させる。そして、高圧消防水が注水のための台座から注入されると、延長接続管、導管の管の口を経て、アーム先端の上部板底面に強く当たり、ロック部分のフラップを撥ね上げて、ケース内の空間に入れ、ロックを外すので、防火扉が外からでも、簡単、且つ、迅速に開けることができるため、火災現場での消防、救助の貴重な時間を無駄にすることがない。
【０００９】
また、防火扉内部に設置された延長接続管、あるいは、ロック部分のユニットの空間に設置された導管は、少なくとも、一個の湾曲個所があり、細長い物体が進入して扉を押し開けることができない。緊急時以外は鍵を使って防火扉を開ける必要があるので、防犯効果も考慮されている。
【００１０】
【考案の実施の形態】
図５と図４を比較して、参照されたい。本考案の緊急時に開けることができる防火扉のラッチは、従来の防火扉のラッチ構造を変える必要がなく、簡単にロック部分のユニットに追加することができ、防火扉を消防用水の水圧によって簡単に開けることができる。したがって、消防隊員は迅速に火災現場に進入して、消火、救助ができるため、貴重な時間を無駄にすることがない。
【００１１】
この構造は以下の通りである。導管５０はその一端に取り付け口５１があって、その取り付け口５１には、接続口５１１が設置されている。導管５０には、一個の湾曲個所があり、接続口５１１と管の口５０１は一直線ではない。その導管５０は、取り付け口５１がロック部分のユニット２０の台座２２に取り付けられて、導管５０を台座２２とケース２１の間に形成される空間に納める。管の口５０１はアーム先端の上部板２６２底面の位置にある。
【００１２】
そして、ロック部分のフラップ２４内側下方を削り取って、削った空間２４３を設ける。ロック部分のフラップ２４が内側に入って、ロックが外れる際、この削った空間２４３があることにより、導管５０に当たることがない。延長接続管６０は、その一端に注水のための台座６１があり、注水めための台座６１には注水口６１１が設けられている。延長接続管６０には、湾曲個所があり、注水口６１１ともう一方の端にある管の口６０１は一直線ではない。その延長接続管６０は、注水のための台座６１によって、防火扉１０の表面に取り付けられる。延長接続管６０は、防火扉１０を貫き、その管の口６０１は防火扉１０内側に突出する。つまり、ロック都分のユニット２０は台座２２によって、防火扉１０内の表面に固定される。そして、導管５０の一端にある取り付け口５１の接続口５１１と延長接続管６０の管の口６０１を相互に結合させることにより、防火扉のラッチに、緊急時に開けられる構造を追加することができるのである。
【００１３】
実施の際は、消防用ホースの口を、注水のための台座６１にある注水口６１１に差し込み、消防用水の高水圧を延長接続管６０に注入すると、導管５０の管の口５０１から水が噴出する瞬間に、直接アーム２６先端の上部板２６２底面に向かって当たり、上に向かって押し上げ、アーム２６の上部板２６２を上に撥ね上げて、ロック部分のフラップ２４をケース２１の内側に入れ、ロックをはずす（図６を参照されたい）。したがって、消防隊員が防火扉１０の外側からでも、消防ホースによって迅速、且つ、容易に防火扉を開けて、消火、救助が行なえるのである。
【００１４】
【考案の効果】
本考案の緊急時に開けることができる防火扉のラッチには、以下のような効果がある。
１）火災発生時に、消防隊員が防火扉の鍵がなくても、消防用水の水圧によって、迅速、且つ、容易に防火扉を開けることができる。
２）防火扉の既存の構造を変える必要がなく、簡単に緊急時に開けることができる機能を追加することができる。
３）紬長い物体を差し込んでロックを外すことができないような構造になっていて、緊急時以外は鍵を使って防火扉を開ける必要があるので、防犯効果も考慮されている。
【図面の簡単な説明】
【図１】従来の防火扉にあるラッチの外観図である。
【図２】従来のラッチのロック部分の立体図である。
【図３】従来のラッチのロック部分の断面図である。
【図４】従来のラッチのロック部分のフラップを操作した際の動作を示した図である。
【図５】本考案の構造をロック部分の内部に敢り付けた様子と、防火扉の内部の状態を示した図である。
【図６】本考案の構造を実施した時のロック都分のフラップの動作を示した図である。
【符号の説明】
１０　防火扉
２０　ロック部分のユニソト　　２１　ケース
２２　台座　　　　　　　　　　２３　軸棒
２４　ロック部分のフラップ　　２４１　固定溝
２４２　当たり　　　　　　　　２４３　削った空間
２５　スプリング　　　　　　　２５１　スプリングの足
２６　アーム　　　　　　　　　２６１　はめ込み穴
２６２　上部板　　　　　　　　２６３　下部板
２６４　押さえ車
２７　軸棒
２８　回転部分　　　　　　　　２８１　当たり壁
２８２　差し込み穴
３０　取っ手　　　　　　　　　３１　押さえ板
４０　鍵　　　　　　　　　　４１　軸板
５０　導管　　　　　　　　　　５０１　管の口
５１　取り付け口　　　　　　　５１１　接続口
６０　延長接続管　　　　　　　６０１　管の口
６１　注水のための台座　　　　６１１　注水口
【図１】
0003096902.tif 000003
【図２】
0003096902.tif 000004
【図３】
0003096902.tif 000005
【図４】
0003096902.tif 000006
【図５】
0003096902.tif 000007
【図６】
0003096902.tif 000008